【事件の表示】
　特許第２９８９８９８号「遊技機」の請求項１ないし１０に係る特許に対する特許異議の申立てについて、次のとおり決定する。
【結　論】
　訂正を認める。
　特許第２９８９８９８号の請求項１に係る特許を維持する。
【理　由】
１．手続の経緯
　本件特許第２９８９８９８号の請求項１に係る発明は、平成２年１２月２８日に特許出願され、平成１１年１０月８日にその設定登録がなされ、その後、林稔久より特許異議の申立てがなされ、平成１２年８月２１日付けで取消理由通知がなされ、その指定期間内である平成１２年１０月３１日に訂正請求（後日取下げ）がなされた後、平成１３年４月１２日に再度取消理由通知がなされ、その指定期間内である平成１３年６月２５日に再度訂正請求（後日取下げ）がなされ、さらに取消理由通知がなされ、その指定期間内である平成１３年１１月１３日に再度訂正請求がなされたものである。
２．訂正の適否についての判断
２−１．訂正の内容
（１）訂正事項ａ
特許請求の範囲の請求項１中の「遊技機を制御するための電子装置が設けられた」を、
「遊技機を制御するための電子装置が基板の表面に設けられた」と訂正する。
（２）訂正事項ｂ
特許請求の範囲の請求項１中の「打玉が打込まれる遊技領域．．．前記基板用収容体は、」を、「打玉が打込まれる遊技領域を前面に形成している遊技盤と、表示状態が変化可能であり表示結果が予め定められた特定の表示態様になった場合に遊技者にとって有利な特定遊技状態に制御可能となるように定められた可変表示装置とを含み、前記基板用収容体は、」と訂正する。
（３）訂正事項ｃ
特許請求の範囲の請求項１中の「遊技制御基板を外部から視認可能でかつ合成樹脂製で構成されているとともに、前記遊技盤側に設けられており、」を、
「遊技制御メイン基板全体を外部から視認可能でかつ合成樹脂製で構成されており、かつ、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されており、」と訂正する。
（４）訂正事項ｄ
特許請求の範囲の、請求項１中の「複数の貫通部が形成されていることを特徴とする、遊技機。」を、
「複数の貫通部が形成され、前記電子装置同士を接続するための配線パターンが前記裏面に設けられ、かつ、前記可変表示装置を制御する電子回路が設けられたサブ基板に対し電気的な接続を行なうためのコネクタが設けられ、遊技機背面側から見て前記可変表示装置およびそのサブ基板の左側でかつ前記遊技盤に前記基板用収容体が固定され、遊技機背面側から見て前記可変表示装置およびそのサブ基板の右側の間隔を隔てた位置でかつ機構板に、打玉の入賞に伴い景品玉を払出可能な玉払出装置が配設されていることを特徴とする、遊技機。」と訂正する。
（５）訂正事項ｅ
特許請求の範囲の請求項２〜請求項１０を削除する。
（６）訂正事項ｆ
特許請求の範囲の請求項１中の「遊技制御基板」をすべて、
「遊技制御メイン基板」と訂正する。
（７）訂正事項ｇ
明細書の段落番号０００１、０００２、０００３、０００４、０００５、０００６の「遊技制御基板」のすべてを、
「遊技制御メイン基板」と訂正する。
（８）訂正事項ｈ
明細書の段落番号０００１中の「遊技機を制御するための電子装置が設けられた」を、
「遊技機を制御するための電子装置が基板の表面に設けられた」と訂正する。
（９）　訂正事項ｉ
明細書の段落番号０００７中の「請求項１に記載の本発明は．．．コネクタを挿通するための切欠部が設けられていることを特徴とする。」を、
「請求項１に記載の本発明は、遊技機を制御するための電子装置が基板の表面に設けられた遊技制御メイン基板と、該遊技制御メイン基板を収容する基板用収容体とを含む遊技機であって、打玉が打込まれる遊技領域を前面に形成している遊技盤と、表示状態が変化可能であり表示結果が予め定められた特定の表示態様になった場合に遊技者にとって有利な特定遊技状態に制御可能となるように定められた可変表示装置とを含み、前記基板用収容体は、前記遊技制御メイン基板を収容した状態で該遊技制御メイン基板全体を外部から視認可能でかつ合成樹脂製で構成されており、かつ、前記遊技制御メイン基板の表面側と裏面側とにそれぞれ空間が形成され、前記表面側の空間における基板表面から前記基板用収容体までの間隔に比べて．前記裏面側の空間における基板裏面から前記基板用収容体までの間隔が小さく構成されており、前記遊技制御メイン基板には、その表面と裏面とにグランドラインが形成されているとともに、前記両グランドラインを貫通して電気的に導通させる複数の貫通部が形成され、前記電子装置同士を接続するための配線パターンが前記裏面に設けられ、かつ、前記可変表示装置を制御する電子回路が設けられたサブ基盤に対し電気的な接続を行なうためのコネクタが設けられ、遊技機背面側から見て前記可変表示装置およびそのサブ基板の左側でかつ前記遊技盤に前記基板用収容体が固定され、遊技機背面側から見て前記可変表示装置およびそのサブ基板の右側の間隔を隔てた位置でかつ機構板に、打玉の入賞に伴い景品玉を払出可能な玉払出装置が配設されていることを特徴とする。」と訂正する。
（１０）訂正事項ｊ
明細書の段落番号０００８中の「請求項１に記載の本発明によれば、．．．コネクタがその切欠部を通して挿通することが可能となる。」を、
「請求項１に記載の本発明によれば、遊技制御メイン基板を収容する基板用収容体が、遊技制御メイン基板を収容した状態で該遊技制御メイン基板全体を外部から視認可能でかつ合成樹脂製で構成されている。このため、遊技制御メイン基板に肉眼で発見することが可能な異常が生じて遊技機の異常が発生した場合には、基板用収容体外部から遊技制御メイン基板を見ることにより、遊技機の異常の発生原因を容易に突き止めることが可能になる。また、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されている。表示状態が変化可能な可変表示装置の表示結果が予め定められた特定の表示態様になった場合に遊技者にとって有利な特定遊技状態に制御可能となる。そして、遊技機背面側から見てその可変表示装置およびそのサブ基板の左側でかつ前記遊技盤に前記基板用収容体が固定されている。さらに、遊技制御メイン基板の表面と裏面とにグランドラインが形成されており、その両グランドラインを貫通して電気的に導通させる複数の貫通部が形成されているために、静電気に起因した放電電圧がこのグランドラインに万一流れ込んだとしても、前記貫通部を何度も潜り抜けて表面側グランドラインと裏面側グランドラインとの間を何度も巡回することにより放電電圧が電圧降下を起こす。また、前記電子装置同士を接続するための配線パターンが遊技制御メイン基板の裏面に設けられている。前記遊技制御メイン基板には、前記可変表示装置を制御する電子回路が設けられたサブ基板に対し電気的な接続を行なうためのコネクタが設けられている。遊技機背面側から見て前記可変表示装置およびそのサブ基板の右側の間隔を隔てた位置でかつ機構板に、打玉の入賞に伴い景品玉を払出可能な玉払出装置が配設されている。」と訂正する。
（１１）訂正事項ｋ
明細書の段落番号００２４中の「開けることが可能となる。」を、
「開けることが可能となる。前述した基板収容ボックス本体４６と透明カバー体４５とにより、　遊技制御メイン基板を収容する基板用収容体が構成されている。」と訂正する。
（１２）訂正事項ｌ
明細書の段落番号００４０中の「目で見ることができるようにしている．．．可視部にしてもよい。」を、
「目で見ることができるようにしている。透明カバー体４５全体に放熱孔７９を兼ねた多数の貫通孔（遊技制御メイン基板３７に取り付けられた電子部品が通らない程度の大きさ）を設けてもよい。」と訂正する。
（１３）訂正事項ｎ
明細書の段落番号００５２中の「請求項２に記載の本発明によれば．．．請求項１〜請求項５のいずれかに記載の発明の効果に加えて、」を、削除する。
（１４）訂正事項ｏ
明細書の段落番号００５２中の「請求項７に記載の本発明によれば．．．接続、取外しの作業が容易になる。」を、削除する。
（１５）訂正事項ｐ
明細書の段落番号００５２中の「遊技制御基板」の全てを、「遊技制御メイン基板」と訂正する。
（１６）訂正事項ｑ
明細書の段落番号００５２中の「基板を外部から視認可館でかつ合成樹脂製で構成されている。」を、
「基板全体を外部から視認可能でかつ合成樹脂製で構成されている。」と訂正する。
（１７）訂正事項ｒ
明細書の段落番号００５２中の「可変表示装置に対し遊技機背面側から見て左側に」を、
「可変表示装置およびそのサブ基板に対し遊技機背面側から見て左側に」と訂正する。
　２−２．訂正の目的の適否、新規事項の有無及び拡張・変更の存否
　上記訂正事項ａは、特許明細書の段落番号００４２の記載に基づいて遊技制御メイン基板に設けられる電子装置がその遊技制御メイン基板の表面に設けられることを限定し、
　上記訂正事項ｂとｄは、従属形式で記載されていた請求項６と請求項７とを、請求項１に繰上げ限定したものであり、
　上記訂正事項ｃは、「基板用収容体」を特許明細書の段落番号００４２の記載に基づいて遊技制御メイン基板全体を外部から視認可能と、特許明細書の段落番号００３４，００３５の記載に基づいて遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されていると限定したものであり、
　上記訂正事項ｄは、特許明細書の段落番号００３１，００４８，００１４の記載、図６に基づいて「遊技制御メイン基板」を電子装置同士を接続するための配線パターンが前記裏面に設けられ、かつ、前記可変表示装置を制御する電子回路が設けられたサブ基板に対し電気的な接続を行なうためのコネクタが設けられと、特許明細書の段落番号００１７の記載、図３，図４に基づいて「景品玉払出装置」の配置を可変表示装置およびそのサブ基板の右側の間隔を隔てた位置でかつ機構板にと限定したものであり、
　上記訂正事項ｅは、請求項２〜請求項１０を削除するものであり、
　上記訂正事項ｆは、特許請求の範囲に記載した「遊技制御基板」と、実施例に記載した「遊技制御メイン基板」両者の用語を統一するものであり、
  上記訂正事項ｇ〜ｊ、ｌ、ｎ〜ｒは、上記訂正事項ａ〜ｅにより特許請求の範囲が訂正されたために、その訂正後の特許請求の範囲の内容に明細書の記載内容を適合させるものであり、
　上記訂正事項ｋは、「基板用収容体」を定義したものであるから、
　上記訂正事項ａ〜ｅは、特許請求の範囲の減縮を目的とするものであり、
　上記訂正事項ｆ〜ｌ、ｎ〜ｒは、明りようでない記載の釈明を目的とするものである。
　また、上記訂正事項ａ〜ｌ、ｎ〜ｒは、上記したように願書に添付した明細書又は図面に記載した事項の範囲内の訂正であり、特許請求の範囲を拡張し又は変更するものでもない。
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。　
　
３．特許異議の申立て
３−１．申立て理由の概要
　特許異議申立人は本件の請求項１乃至請求項１０に係る発明の特許に対して証拠として下記の甲第１号証乃至甲第８号証を提示し、本件の請求項１乃至１０に係る発明は、その出願前に頒布された甲第１ないし８号証に記載の発明に基づいて当業者が容易に発明をすることができたものであるから、本件請求項１乃至１０に係る発明の特許は、特許法第２９条第２項の規定により、特許を受けることができず、取り消されるべきものである旨主張している。
　　　　　　　　　　　　　　　　記　　　　　　　　　　　　　　　　
甲第１号証：特開平２−４５０７９号公報
甲第２号証：実願昭６２−１４０１４号（実開昭６３−１２２４６９号）のマイクロフィルム
甲第３号証：実願昭６３−９１１４３号（実開平２−１３５７７号）のマイクロフィルム
甲第４号証：実願昭６０−１５５１３４号（実開昭６２−６４５７９号）のマイクロフィルム
甲第５号証：実願昭５９−６３４５４号（実開昭６０−１７５２７９号）のマイクロフィルム
甲第６号証：実願昭６１−１９８２５７号（実開昭６３−１０２４８４号）のマイクロフィルム
甲第７号証：実願昭６１−１０１８４５号（実開昭６３−８０７６号）のマイクロフィルム
甲第８号証：特開昭６４−３７９７７号公報　　　　　　　　　　　　　　　　　　　　　　　　
３−２．本件請求項１に係る発明
　上記「２．訂正の適否についての判断」で示したように上記訂正が認められ、特許請求の範囲の請求項２乃至１０の記載が削除されたので、本件特許第２９８９８９８号は、請求項１に係る発明からなり、請求項１に係る発明は、上記訂正に係る訂正明細書の特許請求の範囲の請求項１に記載された事項により特定される次のとおりのものである。
「【特許請求の範囲】【請求項１】遊技機を制御するための電子装置が基板の表面に設けられた遊技制御メイン基板と、該遊技制御メイン基板を収容する基板用収容体とを含む遊技機であって、打玉が打込まれる遊技領域を前面に形成している遊技盤と、表示状態が変化可能であり表示結果が予め定められた特定の表示態様になった場合に遊技者にとって有利な特定遊技状態に制御可能となるように定められた可変表示装置とを含み、前記基板用収容体は、前記遊技制御メイン基板を収容した状態で該遊技制御メイン基板全体を外部から視認可能でかつ合成樹脂製で構成されており、かつ、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されており、
前記遊技制御メイン基板には、その表面と裏面とにグランドラインが形成されているとともに、前記両グランドラインを貫通して電気的に導通させる複数の貫通部が形成され、前記電子装置同士を接続するための配線パターンが前記裏面に設けられ、かつ、前記可変表示装置を制御する電子回路が設けられたサブ基板に対し電気的な接続を行なうためのコネクタが設けられ、遊技機背面側から見て前記可変表示装置およびそのサブ基板の左側でかつ前記遊技盤に前記基板用収容体が固定され、遊技機背面側から見て前記可変表示装置およびそのサブ基板の右側の間隔を隔てた位置でかつ機構板に、打玉の入賞に伴い景品玉を払出可能な玉払出装置が配設されていることを特徴とする、遊技機。」　　　　　　　　　　　　　　　　
３−３．甲各号証に記載された事項
　上記甲第１号証乃至甲第８号証には、それぞれ次の事項が記載されている。
甲第１号証（特開平２−４５０７９号公報）
ａ「弾球遊技機の裏面側に設けられた主として合成樹脂材料で形成された機構板と、少なくとも弾球遊技機の遊技盤に配設された電気的遊技装置と、該電気的遊技装置を制御するための回路基板と、該回路基板を包囲した導電性の回路基板ケースとを含む弾球遊技機であって、前記機構板は、該機構板の上部に遊技者に払出す賞品玉を貯留するための賞品玉貯留部材と、該賞品玉貯留部材の下部に賞品玉を整列させるための整列経路と、該整列経路の終端に入賞態様に基づいて所定数の賞品玉を払出すための賞品玉払出機構とを備え、前記回路基板は、その表面と裏面にグランドラインが形成されるとともに複数の取付孔が形成され、該複数の取付孔のうち予め定められた取付孔に前記グランドラインを延在させ、前記回路基板ケースには、前記複数の取付孔に対応して複数の導電性の取付部を一体に設け、該複数の取付部に回路基板を取付孔を介して止着し、前記グランドラインを延在させた取付孔と前記回路基板ケースの取付部を接続させて、回路基板のグランドラインと回路基板ケースとを導通させたことを特徴とする、弾球遊技機。」（特許請求の範囲）、
ｂ「この種の弾球遊技機で従来から一般に知られているものに・・・機械的可変表示装置等の各種可変表示装置、また電気的に駆動されて打込玉を入賞しやすくする可変入賞球装置等の電気的遊技装置が遊技盤に配設されたものがあった。そして、その電気的遊技装置を制御するための電子回路を含む回路基板が、回路基板ケースに収納された状態で遊技盤裏面側の機構板に設けられていた。」（第２頁左上欄第３〜１３行）、
ｃ「第１図は、本発明に係る弾球遊技機の一例であるパチンコ遊技機３０００を示す．．．電気的遊技装置の一例である可変表示装置２０６が可変表示を開始し、．．．停止した可変表示装置２０６によって表示されている識別情報が予め定める所定の組合せ（たとえば７７７）となれば、大当り状態となり、．．．入賞可能な状態となる。」（第３頁左上欄第１１〜右上欄１２行）、
ｄ「第４図は、前記遊技制御部２を示す分解斜視図である。遊技制御部２は、上ケース４および下ケース８からなる回路基板ケースと、そ　の回路基板ケース内に収納される回路基板６とからなる。回路基板６は、基板本体１６の表面と裏面にグランドライン４０（第６図）を付設して構成されている。その回路基板６には、制御回路の主要部であるＭＰＵ，ＲＡＭ４４と、制御回路の主要部であるＲＯＭ４６とが取付けられている。さらに回路基板６には、種々の回路素子や電子部品等が取付けられている。．．．回路基板６には、接続端子２０ａ，２０ｂ，２０ｃが設けられており、それらの接続端子２０ａ，２０ｂ，２０ｃに連結端子２２ａ、２２ｂ．２２ｃが接続される。この連結端子２２ａ、２２ｂ．２２ｃにはそれぞれ配線２４ａ，２４ｂ，２４ｃが取付けられている。．．．下ケース８は、導電性材料の一例の金属で形成されており．．．なお、導電性材料としては、合成樹脂であってもよい。」（第４頁左上欄第１１行〜左下欄第４行）、
ｅ「遊技制御部２は、機構板における流下樋カバー５８部分に取り付けられる。」（第５頁右上欄欄第３〜４行）、
ｆ「遊技制御部２の取付状態では、流下樋カバー５８と下面板２６との間に第１空間部７８が、・・・下面板２６と回路基板６との間に第２空間部８０が、・・・回路基板６と上面板１１との間に第３空間部８２が形成される。この第１空間部７８により、流下樋カバー５８に発生した静電気が下面板２６に伝達されるのを極力防止している。取付部３６ａと合わさる取付孔には、グランドライン延在部５２が形成されており、ビス止めした状態でグランドライン４０と回路基板ケースとが取付部３６ａを介して電気的に導通状態となる。これにより、　回路基板６のグランドライン４０と回路基板ケースとがほぼ同電位になるため、回路基板ケースと回路基板６との間での放電が防止できる。」（第５頁左下欄第３〜１７行）、
ｇ「図中、４２は表と裏のグランドライン４０を電気的に導通させるための導通孔であり、回路基板６に多数形成されている。この複数の導通孔４２は、静電気によって発生した電圧が制御回路の主要部４４，４６に到達するまでに極力電圧降下を起こさせるためのものである。つまり、パチンコ玉との摩擦により流下樋カバー５８が高電圧に帯電し、その流下樋カバー５８と下面板２６との間で放電が発生した場合に、その放電に伴う電流が取付部３６ａを通ってまず回路基板６の裏面側のグランドライン４０に流れ込むのであり、この裏面側に流れ込んだ電流が前記制御回路基板の主要部４４，４６に到達するまでに、前記導通孔４２を何度もくぐり抜けてグランドライン４０の裏面と表面との間を何度も巡回し、それによって電圧が制御回路の主要部４４，４６に到達するまでに極力電圧降下を起こさせることができる。」（第５頁右下欄第６行〜第６頁左上欄第２行）、
ｈ「１０８はコネクタカバーであり、．．．接続端子１１６ａ〜１１６ｄに嵌合された接続端子１１４ａ〜１１４ｄを上方から覆うとともに、その接続端子１１４ａ〜１１４ｄに接続されている配線」（第７頁左上欄第１０〜１４行）。
　甲第２号証（実願昭６２−１４０１４号（実開昭６３−１２２４６９号）のマイクロフィルム）
２−ａ「従来のパチンコ遊技機の電子部品を収納するケースは、．．．導電性を有する樹脂等で作られていた。すなわち、ケースは導電性をもたせるためにカーボンを含む樹脂で作られており、したがってケースは不透明の黒色をしていた。このため、この点からも、従来の電子部品を収納するケースは外部からはケースの内部が見えないようにできている。」第３頁第１６行〜第４頁第４行）、
２−ｂ「電子部品を収納ケースに収納したままで、ケースの外側から簡易に検査することができるパチンコ遊技機を提供する」（第４頁第１８〜２０行）、
２−ｃ「第１図は本考案の１実施例であるパチンコ遊技機の制御部の拡大斜視図である。第１図において、制御部３は後述する封印紙が貼られたＣＰＵやＲＯＭ等の電子部品と、その電子部品が配置されているプリント基板１０と、電子部品やプリント基板を収納する上部蓋１１ａと底板１１ｂとを有するケース１１とを含む。１２はケース１１内部のプリント基板１０に配置されたＣＰＵやＲＯＭ等に貼られた封印紙の異状の有無や封印番号を検査するために上部蓋１１ａに設けれた透明な観察窓である。」（第６頁第９〜１９行）、
２−ｄ「上記の本実施例では、上部蓋の一部にやや大きめの視察窓を設けたが、本考案はこれに限定されるものではなく、たとえば、封印を施した電子部品のみを検査することができるような小さなものでもよいし、反対に、上部蓋の上面全部を観察窓としたり、上部全体を観察窓としてもよい。また、観察窓として使用する材質は、静電気を帯びない材質で、且つ透明な材質たとえば金属の粉を混ぜた導電性のある樹脂等が好ましい。」（第８頁第１７行〜第９頁第５行）。
甲第３号証（実願昭６３−９１１４３号（実開平２−１３５７７号）のマイクロフィルム）
３−ａ「遊技盤６には・・・入賞玉集合カバー体３１の後面に、可変表示装置１０の後面突出部を覆う可変表示装置カバー３２が取り付けられている。また、可変表示装置１０や変動入賞装置１３の動作を制御する制御回路基板を収納する制御回路基板ボックス３３も取り付けられている。」（第１２頁第６〜１５行、第３図）。
  第３図に、「可変表示装置カバー３２の左側に制御回路基板ボックス３３が取付けられていること」が図面上示されています。
甲第４号証（実願昭６０−１５５１３４号（実開昭６２−６４５７９号）のマイクロフィルム）　　
４−ａ「この第１の接続部材４８に配設された複数の接続端子６４には遊技盤５前面側の種々の入賞球装置等に関連して設けられた検出スイッチや前面枠２の押ボタンスイッチ等の入力部材．．．出力部材に夫々接続された接続配線８３，８４が接続されている。」（第１０頁第１３〜２０行）、　　
４−ｂ「基板ボックス３４の取付片５４ａ、５４ｂを基板ボックス取付部材３５の保持片４７ａ，４７ｂの側部方向より挿入し、第１の接続部材４８と第２の接続部材５３とを嵌合させる事により、第１及び第２の接続部材４８，５３の複数の接続端子６４，６３を夫々接続する事が出来、基板ボックス３４の取付作業と同時に端子の接続作業が完了するものである。」（第１２頁第７〜１４行）、
４−ｃ「この第２実施例においても、第１０図に示す如く、基板ボックス３４の取付片５４ａ、５４ｂを取付部材としての保持片６５ａ，６５ｂの側部方向より挿入し、第１の接続部材６６と第２の接続部材５３とを嵌合させる事により、第１及び第２の接続部材６６，５３の複数の接続端子を夫々接続する事が出来、基板ボックス３４の取付作業と同時に端子の接続作業が完了するものである。」（第１４頁第４〜１１行）。
甲第５号証（実願昭５９−６３４５４号（実開昭６０−１７５２７９号）のマイクロフィルム）
５−ａ「１は電装品としての金属製の制御箱で、この内部にはパチンコ機を制御するための電気回路が実装されたプリント基板２が収納され、該プリント基板２の一部が制御箱１の側面から外方に突出されており、突出部分には、コネクタ３，４が取着されている。・・・７はパチンコ機の裏面側の機構部分を被ように取付けられる取付板」（第２頁第９〜１８行）。
　甲第６号証（実願昭６１−１９８２５７号（実開昭６３−１０２４８４号）のマイクロフィルム）
６−ａ「本考案に係る制御基盤ボックス１は、第１図に示すように、絶縁性基板２、・・・制御基板６と・・・カバー枠７と、上記制御基盤６の下面を覆うアース板８と、該アース板８の下面を覆う下蓋９とから成る。」（第４頁第１４行〜第５頁第３行）、
６−ｂ「入賞玉集合カバー体３１の後面に、可変表示装置１０の後面突出部を覆う可変表示装置カバー３２と、可変表示装置１０や変動入賞装置１３の動作を制御する制御回路基板を収容する制御回路基板ボックス３３とが取付けられていること」が開示されています（第１２頁第４行〜第１５行）。そして、第３図に、「可変表示装置カバー３２の左側に制御回路基板ボックス３３が取付けられていること」
６−ｃ「上面に形成した凹部１７には仕様や形式を記したスペックシール１８を貼着してある。」（第５頁第１６〜１８行）、
６−ｄ「制御基盤に設けた電子部品が発生する静電気を金属製のカバー枠とアース板に逃がすとともに、アース板の裏側を覆うプラスチック製の下蓋により外部からの静電気の侵入を防止することができる。したがって、電子部品が静電気により誤作動することを有効に防止することができる。」（第９頁第１９行〜第１０頁第５行）。
　甲第７号証（実願昭６１−１０１８４５号（実開昭６３−８０７６号）のマイクロフィルム）
７−１「中継基板７０は・・・入賞玉検出スイッチ４５〜４７、状態表示装置２１、可変入賞玉装置１９、制御回路基板８０等に対応する接続端子７１ａ〜７１ｇが固着されている。」（第１０頁第１３〜１７行）。
甲第８号証（特開昭６４−３７９７７号公報）
８−１「特定入賞口形成部材１２０は、．．．ＡＢＳ樹脂に比べ、はるかに衝撃強度が強いポリカーボネート樹脂が使われている。」（第７頁右下欄第５〜２０行）。
３−４．対比・判断
　本件請求項１に係る発明と、当審で通知した取消しの理由で引用した刊行物１（甲第１号証）に記載された発明とを対比する。
　刊行物１の前記記載（前記ａ〜ｈ）及び図面からみて、刊行物１には、
「弾球遊技機３００の遊技盤に配設された電気的遊技装置を制御するための電子部品等４４，４６，１８が基板本体１６の表面に設けられた回路基板６、１０４と、該回路基板を包囲した回路基板ケース４，８、１０４，１０６とを含む遊技機であって、パチンコ玉が打込まれる遊技領域２０２を前面に形成している遊技盤と、表示状態が変化可能であり表示結果が予め定められた所定の組合せになった場合に遊技者にとって有利な大当り状態に制御可能となるように定められた可変表示装置２０６とを含み、回路基板ケースは、導電性材料で形成されており、かつ、前記回路基板の表面側と裏面側とにそれぞれ空間部が形成され、前記表面側の空間部における基板表面から前記回路基板ケースまでの間隔に比べて、前記裏面側の空間部における基板裏面から前記回路基板ケースまでの間隔が小さく構成されており、回路基板には、その表面と裏面とにグランドライン４０が形成されているとともに、前記両グランドラインを貫通して電気的に導通させる複数の導通孔４２が形成され、かつ、電気的な接続を行なうための接続端子、２０ａ〜２０ｃ、１１６ａ〜１１６ｄが設けられ、遊技機背面側から見て前記可変表示装置の右側の間隔を隔てた位置でかつ機構板２３４に、パチンコ玉の入賞に伴い賞品玉を払出可能な賞品玉払出機構２２４が配設されている遊技機。」の発明が記載されている、
　刊行物１記載の発明と本件請求項１記載の発明とを対比すると、
　刊行物１記載の発明の「遊技装置」、「電子部品」、「回路基板」、「包囲」、「回路基板ケース」、「パチンコ玉」、「予め定められた所定の組合せ」、「大当り状態」、「空間部」、「導通孔」、「接続端子」、「賞品玉払出機構」が、
  本件請求項１に係る発明の「遊技機」、「電子装置」、「遊技制御メイン基板」、「収容」、「基板用収容体」、「打玉」、「特定の表示態様」、「特定遊技状態」、「空間」、「貫通部」、「コネクタ」、「玉払出装置」にそれぞれ相当するので、
　両者は、「遊技機を制御するための電子装置が基板の表面に設けられた遊技制御メイン基板と、該遊技制御メイン基板を収容する基板用収容体とを含む遊技機であって、打玉が打込まれる遊技領域を前面に形成している遊技盤と、表示状態が変化可能であり表示結果が予め定められた特定の表示態様になった場合に遊技者にとって有利な特定遊技状態に制御可能となるように定められた可変表示装置とを含み、前記基板用収納体は、前記遊技制御メイン基板の表面側と裏面側とにそれぞれ空間が形成され、前記表面側の空間における基板表面から前記基板用収納体までの間隔に比べて、前記裏面側の空間における基板裏面から前記基板用収納体までの間隔が小さく構成されており、遊技制御メイン基板には、その表面と裏面とにグランドラインが形成されているとともに、前記両グランドラインを貫通して電気的に導通させる複数の貫通部が形成され、かつ、電気的な接続を行なうためのコネクタが設けられ、遊技機背面側から見て前記可変表示装置の右側の間隔を隔てた位置でかつ機構板に、打玉の入賞に伴い景品玉を払出可能な玉払出装置が配設されている遊技機。」である点で一致し、次の点で相違する。
　刊行物１記載の発明が、本件請求項１に係る発明の構成要件である
「（１）基板用収容体は、遊技制御メイン基板を収容した状態で該遊技制御メイン基板全体を外部から視認可能でかつ合成樹脂製で構成されている点
（２）電子装置同士を接続するための配線パターンが基板裏面に設けられている点
（３）可変表示装置を制御する電子回路が設けられたサブ基板を設けた点、
　　　前記サブ基板を設けた事により
　　　（３）−１　遊技制御メイン基板にサブ基板に対し電気的な接続を行なうためのコネクタを設けた点 
　　　（３）−２　遊技機背面側から見てサブ基板の左側に基板用収容体を固定した点
　　　（３）−３　遊技機背面側から見てサブ基板の右側の間隔を隔てた位置に、玉払出装置が配設されている点
（４）基板用収容体を遊技盤に固定した」点を備えていない点。
　上記相違点（１）を検討するために、当審で通知した取消しの理由で引用した刊行物２〜８（甲第２〜８号証）をみるに、
　刊行物２である甲第２号証には、基板用収容体の上部蓋の上面全部を観察窓としたり、上部蓋全体を観察窓とする記載はあるが、プリント基板１０の裏面側に、配線パターンを形成する点（相違点（２））については記載されておらず、したがって基板裏面に設けられている配線パターンも視認可能になるよう遊技制御メイン基板全体を外部から視認可能に構成する点（相違点（１））については記載も示唆もされていない。また、刊行物３〜８にも、上記の点は記載がなく示唆もされていない。
　そして、本件請求項１に係る発明は、上記の点により、本件訂正明細書に記載された「遊技制御メイン基板の裏面（つまり、電子部品同士を接続する配線パターンが形成されている面）を封印を剥がすことなく検査することができる。」、「透明カバー体４５を取り外すことなく裏側に設けられた、配線パターンが変えられたか否かを確認することができる。」等の効果を奏するものである。
　したがって、本件請求項１に係る発明は、他の相違点（３）、（４）を検討するまでもなく、上記甲第１〜８号証に記載された発明から、当業者が容易に発明をすることができたものであるとはいえないから、本件請求項１に係る発明の特許を取り消すことはできない。
３−５．むすび
　以上のとおりであるから、特許異議の申立ての理由によっては、本件請求項１に係る発明の特許を取り消すことはできない。
　また、他に本件請求項１に係る発明の特許を取り消すべき理由を発見しない。
　したがって、本件請求項１に係る発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月５日（２００１．１２．５）
【訂正の要旨】
訂正の要旨
▲１▼　訂正事項ａ
特許請求の範囲の請求項１中の「遊技機を制御するための電子装置が設けられた」を、「遊技機を制御するための電子装置が基板の表面に設けられた」と訂正する。
▲２▼　訂正事項ｂ
特許請求の範囲の請求項１中の「打玉が打込まれる遊技領域．．．前記基板用収容体は、」を、「打玉が打込まれる遊技領域を前面に形成している遊技盤と、表示状態が変化可能であり表示結果が予め定められた特定の表示態様になった場合に遊技者にとって有利な特定遊技状態に制御可能となるように定められた可変表示装置とを含み、前記基板用収容体は、」と訂正する。
▲３▼　訂正事項ｃ
特許請求の範囲の請求項１中の「遊技制御基板を外部から視認可能でかつ合成樹脂製で構成されているとともに、前記遊技盤側に設けられており、」を、
「遊技制御メイン基板全体を外部から視認可能でかつ合成樹脂製で構成されており、かつ、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されており、」と訂正する。
▲４▼　訂正事項ｄ
特許請求の範囲の、請求項１中の「複数の貫通部が形成されていることを特徴とする、遊技機。」を、
「複数の貫通部が形成され、前記電子装置同士を接続するための配線パターンが前記裏面に設けられ、かつ、前記可変表示装置を制御する電子回路が設けられたサブ基板に対し電気的な接続を行なうためのコネクタが設けられ、遊技機背面側から見て前記可変表示装置およびそのサブ基板の左側でかつ前記遊技盤に前記基板用収容体が固定され、遊技機背面側から見て前記可変表示装置およびそのサブ基板の右側の間隔を隔てた位置でかつ機構板に、打玉の入賞に伴い景品玉を払出可能な玉払出装置が配設されていることを特徴とする、遊技機。」と訂正する。
▲５▼　訂正事項ｅ
特許請求の範囲の請求項２〜請求項１０を削除する。
▲６▼　訂正事項ｆ
特許請求の範囲の請求項１中の「遊技制御基板」をすべて、
「遊技制御メイン基板」と訂正する。
▲７▼　訂正事項ｇ
明細書の段落番号０００１、０００２、０００３、０００４、０００５、０００６の「遊技制御基板」のすべてを、
「遊技制御メイン基板」と訂正する。
▲８▼　訂正事項ｈ
明細書の段落番号０００１中の「遊技機を制御するための電子装置が設けられた」を、
「遊技機を制御するための電子装置が基板の表面に設けられた」と訂正する。
▲９▼　訂正事項ｉ
明細書の段落番号０００７中の「請求項１に記載の本発明は．．．コネクタを挿通するための切欠部が設けられていることを特徴とする。」を、
「請求項１に記載の本発明は、遊技機を制御するための電子装置が基板の表面に設けられた遊技制御メイン基板と、該遊技制御メイン基板を収容する基板用収容体とを含む遊技機であって、打玉が打込まれる遊技領域を前面に形成している遊技盤と、表示状態が変化可能であり表示結果が予め定められた特定の表示態様になった場合に遊技者にとって有利な特定遊技状態に制御可能となるように定められた可変表示装置とを含み、前記基板用収容体は、前記遊技制御メイン基板を収容した状態で該遊技制御メイン基板全体を外部から視認可能でかつ合成樹脂製で構成されており、かつ、前記遊技制御メイン基板の表面側と裏面側とにそれぞれ空間が形成され、前記表面側の空間における基板表面から前記基板用収容体までの間隔に比べて．前記裏面側の空間における基板裏面から前記基板用収容体までの間隔が小さく構成されており、前記遊技制御メイン基板には、その表面と裏面とにグランドラインが形成されているとともに、前記両グランドラインを貫通して電気的に導通させる複数の貫通部が形成され、前記電子装置同士を接続するための配線パターンが前記裏面に設けられ、かつ、前記可変表示装置を制御する電子回路が設けられたサブ基盤に対し電気的な接続を行なうためのコネクタが設けられ、遊技機背面側から見て前記可変表示装置およびそのサブ基板の左側でかつ前記遊技盤に前記基板用収容体が固定され、遊技機背面側から見て前記可変表示装置およびそのサブ基板の右側の間隔を隔てた位置でかつ機構板に、打玉の入賞に伴い景品玉を払出可能な玉払出装置が配設されていることを特徴とする。」と訂正する。
▲１０▼　訂正事項ｊ
明細書の段落番号０００８中の「請求項１に記載の本発明によれば、．．．コネクタがその切欠部を通して挿通することが可能となる。」を、
「請求項１に記載の本発明によれば、遊技制御メイン基板を収容する基板用収容体が、遊技制御メイン基板を収容した状態で該遊技制御メイン基板全体を外部から視認可能でかつ合成樹脂製で構成されている。このため、遊技制御メイン基板に肉眼で発見することが可能な異常が生じて遊技機の異常が発生した場合には、基板用収容体外部から遊技制御メイン基板を見ることにより、遊技機の異常の発生原因を容易に突き止めることが可能になる。また、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されている。表示状態が変化可能な可変表示装置の表示結果が予め定められた特定の表示態様になった場合に遊技者にとって有利な特定遊技状態に制御可能となる。そして、遊技機背面側から見てその可変表示装置およびそのサブ基板の左側でかつ前記遊技盤に前記基板用収容体が固定されている。さらに、遊技制御メイン基板の表面と裏面とにグランドラインが形成されており、その両グランドラインを貫通して電気的に導通させる複数の貫通部が形成されているために、静電気に起因した放電電圧がこのグランドラインに万一流れ込んだとしても、前記貫通部を何度も潜り抜けて表面側グランドラインと裏面側グランドラインとの間を何度も巡回することにより放電電圧が電圧降下を起こす。また、前記電子装置同士を接続するための配線パターンが遊技制御メイン基板の裏面に設けられている。前記遊技制御メイン基板には、前記可変表示装置を制御する電子回路が設けられたサブ基板に対し電気的な接続を行なうためのコネクタが設けられている。遊技機背面側から見て前記可変表示装置およびそのサブ基板の右側の間隔を隔てた位置でかつ機構板に、打玉の入賞に伴い景品玉を払出可能な玉払出装置が配設されている。」と訂正する。
▲１１▼　訂正事項ｋ
明細書の段落番号００２４中の「開けることが可能となる。」を、
「開けることが可能となる。前述した基板収容ボックス本体４６と透明カバー体４５とにより、遊技制御メイン基板を収容する基板用収容体が構成されている。」と訂正する。
▲１２▼　訂正事項ｌ
明細書の段落番号００４０中の「目で見ることができるようにしている．．．可視部にしてもよい。」を、
「目で見ることができるようにしている。透明カバー体４５全体に放熱孔７９を兼ねた多数の貫通孔（遊技制御メイン基板３７に取り付けられた電子部品が通らない程度の大きさ）を設けてもよい。」と訂正する。
▲１３▼　訂正事項ｎ
明細書の段落番号００５２中の「請求項２に記載の本発明によれば．．．請求項１〜請求項５のいずれかに記載の発明の効果に加えて、」を、削除する。
▲１４▼　訂正事項ｏ
明細書の段落番号００５２中の「請求項７に記載の本発明によれば．．．接続、取外しの作業が容易になる。」を、削除する。
▲１５▼　訂正事項ｐ
明細書の段落番号００５２中の「遊技制御基板」の全てを、「遊技制御メイン基板」と訂正する。
▲１６▼　訂正事項ｑ
明細書の段落番号００５２中の「基板を外部から視認可館でかつ合成樹脂製で構成されている。」を、
「基板全体を外部から視認可能でかつ合成樹脂製で構成されている。」と訂正する。
▲１７▼　訂正事項ｒ
明細書の段落番号００５２中の「可変表示装置に対し遊技機背面側から見て左側に」を、
「可変表示装置およびそのサブ基板に対し遊技機背面側から見て左側に」と訂正する。
（５４）【発明の名称】
遊技機
（５７）【特許請求の範囲】
　【請求項１】　遊技機を制御するための電子装置が
基板の表面に
メイン
メイン
　打玉が打込まれる遊技領域を前面に形成している遊技盤
と、
　
表示状態が変化可能であり表示結果が予め定められた特定の表示態様になった場合に遊技者にとって有利な特定遊技状態に制御可能となるように定められた可変表示装置とを含み、
　前記基板用収容体は、前記遊技制御
メイン
メイン
全体
れて
かつ、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されており、
　前記遊技制御
メイン
前記電子装置同士を接続するための配線パターンが前記裏面に設けられ、かつ、前記可変表示装置を制御する電子回路が設けられたサブ基板に対し電気的な接続を行なうためのコネクタが設けられ、
　
遊技機背面側から見て前記可変表示装置およびそのサブ基板の左側でかつ前記遊技盤に前記基板用収容体が固定され、
　
遊技機背面側から見て前記可変表示装置およびそのサブ基板の右側の間隔を隔てた位置でかつ機構板に、打玉の入賞に伴い景品玉を払出可能な玉払出装置が配設されている
【発明の詳細な説明】
　【０００１】
　【産業上の利用分野】
　本発明は、パチンコ遊技機やコイン遊技機あるいはスロットマシン等で代表される遊技機に関する。詳しくは、遊技機を制御するための電子装置が
基板の表面に
メイン
メイン
　【０００２】
　【従来の技術】
　この種の遊技機において、従来から一般的に知られているものでは、たとえば、遊技機を制御するためのマイクロコンピュータなどの電子装置が設けられた遊技制御
メイン
メイン
　【０００３】
　【発明が解決しようとする課題】
　一方、遊技場に設置された遊技機が故障して正常に動作しなくなったり、全く動かなくなったりする場合がある。そのような場合には、遊技機を制御するための電子装置を含む遊技制御
メイン
メイン
メイン
メイン
　【０００４】
　また、遊技機が正常に動作しない原因の他の例としては、遊技制御
メイン
メイン
メイン
　【０００５】
　すなわち、従来においては、遊技機の異常の原因が遊技制御
メイン
メイン
メイン
メイン
メイン
メイン
　【０００６】
　本発明は、かかる実情に鑑み、遊技制御
メイン
　【０００７】
　【課題を解決するための手段】
　請求項１に記載の本発明は、遊技機を制御するための電子装置が
基板の表面に
メイン
メイン
　打玉が打込まれる遊技領域を前面に形成している遊技盤
と、
　
表示状態が変化可能であり表示結果が予め定められた特定の表示態様になった場合に遊技者にとって有利な特定遊技状態に制御可能となるように定められた可変表示装置とを含み、
　前記基板用収容体は、前記遊技制御
メイン
メイン
全体
れて
かつ、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されており、
　前記遊技制御
メイン
前記電子装置同士を接続するための配線パターンが前記裏面に設けられ、かつ、前記可変表示装置を制御する電子回路が設けられたサブ基板に対し電気的な接続を行なうためのコネクタが設けられ、
　
遊技機背面側から見て前記可変表示装置およびそのサブ基板の左側でかつ前記遊技盤に前記基板用収容体が固定され、
　
遊技機背面側から見て前記可変表示装置およびそのサブ基板の右側の間隔を隔てた位置でかつ機構板に、打玉の入賞に伴い景品玉を払出可能な玉払出装置が配設されている
　【０００８】
　【作用】
　請求項１に記載の本発明によれば、遊技制御
メイン
が
メイン
メイン
全体
てい
メイン
メイン
また、前記遊技制御メイン基板の表面側と裏面側とにそれぞれ空間が形成され、前記表面側の空間における基板表面から前記基板用収容体までの間隔に比べて、前記裏面側の空間における基板裏面から前記基板用収容体までの間隔が小さく構成されている。
　
表示状態が変化可能な可変表示装置の表示結果が予め定められた特定の表示態様になった場合に遊技者にとって有利な特定遊技状態に制御可能となる。そして、遊技機背面側から見てその可変表示装置およびそのサブ基板の左側でかつ前記遊技盤に前記基板用収容体が固定されている。
　さらに、遊技制御
メイン
また、前記電子装置同士を接続するための配線パターンが遊技制御メイン基板の裏面に設けられている。前記遊技制御メイン基板には、前記可変表示装置を制御する電子回路が設けられたサブ基板に対し電気的な接続を行なうためのコネクタが設けられている。
　
遊技機背面側から見て前記可変表示装置およびそのサブ基板の右側の間隔を隔てた位置でかつ機構板に、打玉の入賞に伴い景品玉を払出可能な玉払出装置が配設されている。
　【０００９】
　【実施例】
　本発明の第１実施例を以下に説明する。図３は、この発明の第１実施例を備えたパチンコ遊技機の全体正面図である。
　【００１０】
　パチンコ遊技機１の遊技盤５の表面は、遊技領域３となっている。遊技領域３内に打ち込まれたパチンコ玉が始動入賞口７ａ、７ｂ、７ｃのいずれかに入賞すれば、複数種類の識別情報が可変表示可能な可変表示装置９が可変開始する。この可変表示装置９は、複数個（図面では３個）のドラムが設けられており、このドラムをたとえばステッピングモータ等で回転させることにより可変表示が行なわれ、そのステッピングモータを停止させることにより可変表示を停止させることができる。
　【００１１】
　この可変表示装置９の停止時の表示結果が予め定められた識別情報の組み合わせ（たとえば７７７）となった場合には、可変入賞球装置１１が開成して、パチンコ玉が入賞し易い遊技者にとって有利な第１の状態となり大当たり状態が発生する。この大当たり状態を発生させるか否かは、マイクロコンピュータのリセット待ち時間を利用してカウントアップされる乱数カウンタの始動入賞時における値をピックアップし、そのピックアップされた値に基づいて決定する。
　【００１２】
　パチンコ玉が入賞すると、所定の景品玉が景品玉出口１３から打球供給皿１５に払い出される。
　【００１３】
　図４は、この発明の第１実施例を備えたパチンコ遊技機の内部構造を示す全体背面図である。遊技盤の裏側には、ＭＰＵ，ＲＡＭやＲＯＭ等が実装された制御メイン基板を収容した基板ケース１７が取り付けられている。
　【００１４】
　また、遊技盤の裏側には、遊技制御サブ基板２１、中継端子基板２５が取り付けられている。遊技制御サブ基板２１に設けられた電子回路で、可変表示装置９（図３参照）の制御を行なう。中継端子基板２５は、ゲーム制御に関する電気的装置と基板ケース１７内に収容された遊技制御メイン基板との電気的接続を中継している。
　【００１５】
　基板ケース１７内に収容された遊技制御メイン基板にはコネクタ１９が設けられており、このコネクタ１９が配線５０を介して遊技制御サブ基板２１のコネクタ２３に接続されている。また、コネクタ１９が配線５０を介して中継端子基板２５のコネクタ２７に接続されている。
　【００１６】
　２９は電源配線であり、３３はコネクタである。３１はスピーカ配線であり、大当たり状態時等に効果音を発生させるスピーカ１０４（図３参照）に接続されている。
　【００１７】
　裏面には、主として合成樹脂で形成された機構板５６が設けられ、機構板５６には、景品玉払出装置３５が取り付けられている。景品玉払出装置３５には、景品玉貯留タンク１０５および接続桶１０６を介してパチンコ玉が供給されており、パチンコ玉が入賞すると、景品玉払出装置３５内のパチンコ玉が所定数景品玉として払い出される。景品玉払出装置３５から出たパチンコ玉は、基板ケース１７の近くであって、かつ遊技盤の裏面に取り付けられたパチンコ玉案内通路（図示せず）を流下し、景品玉出口１３（図３参照）を通り、打球供給皿１５（図３参照）に払い出される。
　【００１８】
　また、前記した始動入賞口７ａ、７ｂ、７ｃ（図３参照）や可変入賞球装置１１（図３参照）に入賞したパチンコ玉は、前記景品玉払出装置を作動させるための入賞玉処理機構（図示せず）に導かれた後にパチンコ機外へ放出される。また、アウト玉となったパチンコ玉はアウト玉誘導桶（図示せず）を介してパチンコ機外へ放出される。
　【００１９】
　以上説明したように、入賞玉、アウト玉、および景品玉が主として合成樹脂で形成された機構板５６内に多量に誘導されるため機構板５６との摩擦により静電気が発生し易い状態となっている。
　【００２０】
　図１は、基板ケース１７の構造を示す分解斜視図である。基板ケース１７は、基板収容ボックス本体４６、透明カバー体４５および開閉カバー体４８を備えている。基板収容ボックス本体４６および開閉カバー体４８は、導電性を有するようにするために、たとえばポリプロピレンにカーボンを混ぜた合成樹脂で形成されている。この樹脂の色は黒色である。また、透明カバー体４５は、ポリカーボネイト等で透明に構成されている。
　【００２１】
　基板収容ボックス本体４６の内部の四隅には、取付部５７ａ，５７ｂが設けられている。ＭＰＵ，ＲＡＭ，ＲＯＭが実装された遊技制御メイン基板３７は、取付部５７ａ，５７ｂにビス５９で固定されている。遊技制御メイン基板３７には、コネクタ接続部４１があり、コネクタ接続部４１にコネクタ１９が接続される。
　【００２２】
　基板収容ボックス本体４６には、係合孔４３が設けられており、透明カバー体４５に設けられた爪部４７がその係合孔４３に挿入される。また、基板収容ボックス本体４６に設けられた係合孔５８には、透明カバー体４５に設けられた係合爪部６０が係合する。さらに、基板収容ボックス本体４６に設けられた係合孔４９には、透明カバー体４５に設けられた係合爪部５１が係合する。係合孔４３、４９、５８、爪部４７、係合爪部５１、６０によって、透明カバー体４５は基板収容ボックス本体４６に固定される。これにより、透明カバー体４５と基板収容ボックス本体４６とで構成される包囲体で遊技制御メイン基板３７を包囲し、遊技制御メイン基板３７を外部から触れることができないようにしている。透明カバー体４５と基板収容ボックス本体４６とにわたって封印シール８１が貼られる。基板収容ボックス本体４６には、採光窓７５が設けられている。採光窓７５を設けた理由は後で説明する。
　【００２３】
　透明カバー体４５には、開閉カバー体４８が被さる。開閉カバー体４８と基板収容ボックス本体４６とで静電気によるノイズのＭＰＵ，ＲＡＭ，ＲＯＭへの悪影響を抑制するシールドカバー体の役割を果たす。開閉カバー体４８には支軸６９が設けられており、基板収容ボックス本体４６に設けられている挿通部７１に、この支軸６９を挿通して、開閉カバー体４８を開閉自在に基板収容ボックス本体４６に支持させる。
　【００２４】
　一方、基板収容ボックス本体４６には係合孔６６が設けられており、この係合孔６６に係合する係合爪部６４が開閉カバー体４８に設けられており、この係合爪部６４を係合孔６６に係合させることにより、開閉カバー体４８が基板収容ボックス本体４６に固定される。そして、開閉カバー体４８を開けたい場合には、係合爪部６４と係合孔６６との係合を解除させることにより簡単に開けることが可能となる。
前述した基板収容ボックス本体４６と透明カバー体４５とにより、遊技制御メイン基板を収容する基板用収容体が構成されている。
　【００２５】
　以上のように構成されているため、基板収容ボックス本体４６と開閉カバー体４８は支軸６９挿通部７１および係合爪部６４係合孔６６を介して電気的に導通されている。
　【００２６】
　開閉カバー体４８には、遊技機名称シール８９および開閉方法等が記載されている取扱説明シール８７が貼られている。基板収容ボックス本体４６、透明カバー体４５、開閉カバー体４８には、それぞれ、多数の放熱孔７３、７９、８５が設けられている。この放熱孔によって遊技制御メイン基板３７上に形成された電子回路からの熱を外部に逃す。
　【００２７】
　なお、放熱孔７３、７９、８５は、基板収容ボックス本体４６等の全体に形成されており、図１ではそれが省略されている。
　【００２８】
　透明カバー体４５には、コネクタ接続部４１上に透明カバー体４５が被らないようにするための切欠部７７が設けられている。したがって、透明カバー体４５を基板収容ボックス本体４６に固定した状態で配線５０が断線してもコネクタ１９を取外し、配線５０を交換することができる。
　【００２９】
　基板収容ボックス本体４６、開閉カバー体４８には、それぞれ、切欠部６７、８３が形成されている。切欠部６７と切欠部８３とで形成される開口を配線引出部とし、この配線引出部からコネクタ１９に接続された配線５０を外部に引き出す。切欠部８３の両側には、離断可能板９１が配置されている。離断可能板９１は、接続部９３によって切欠部８３に固定されている。配線の量が多い場合は、接続部９３をニッパー等で切断することにより、離断可能板９１を取り去り、配線引出部の面積を広げる。
　【００３０】
　図１、図２を参照して、取付部６１はビス６２によって機構板５６に固定されている。取付部６１には、２本の案内レール６３が設けられている。基板ケース１７を取付部６１に取り付ける場合は、案内レール６３に基板収容ボックス本体４６の裏側に設けられた摺動部６５を案内させながら右方向ヘスライドさせる。次に、係合爪部５５の右側に設けられた押圧部１０７を機構板５６方向へ押圧し、さらに、基板ケース１７を右方向ヘスライドさせる。そして、係合爪部５５を係合孔５３に係合させることにより、基板ケース１７を取付部６１に固定する。また、基板ケース１７を取り外す場合は、押圧部１０７を機構板５６方向へ押圧し、係合爪部５５と係合孔５３との係合を解除し、基板ケース１７を左側にスライドさせれば、基板ケース１７を簡単に取り外すことができる。
　【００３１】
　図５は、基板ケースの断面図である。遊技制御メイン基板３７は、先程説明したように、基板収容ボックス本体４６に取り付けられている。遊技制御メイン基板３７の表面７０には、ＣＰＵやＲＯＭ等の電子部品が取り付けられている。遊技制御メイン基板３７の裏面７２には、これらの電子部品同士を接続するための配線パターンが設けられている。
　【００３２】
　基板収容ボックス本体４６には、採光窓７５が設けられており、採光窓７５と対向する位置には、透明カバー体４５がある。採光窓７５から基板収容ボックス本体４６に光を入れれば、透明カバー体４５を介して遊技制御メイン基板３７の裏面７２に設けられた配線パターンを見ることができる。したがって、透明カバー体４５を取り外すことなく、裏面７２に設けられた配線パターンが変えられたか否かを確認することができる。
　【００３３】
　図２で示すように、機構板５６と基板収容ボックス本体４６との間には、第１空間１０８が設けられ、機構板５６で発生した静電気が基板収容ボックス本体４６に伝達されることを極力防止している。
　【００３４】
　また、基板用収容ボックス本体４６と遊技制御メイン基板３７との間に第２空間１０９が形成されるとともに遊技制御メイン基板３７と透明カバー体４５との間に第３空間１１０が形成されている。
　【００３５】
　このように、第２空間１０９と第３空間１１０を形成することにより、基板ケース１７に印加された放電電圧が後述する取付部５７ａを通ることなく直接遊技制御メイン基板３７に印加されることが防止できる。さらに、第２空間１０９と第３空間１１０との容量を異ならしめているため、使用に伴なって発生した遊技制御メイン基板３７からの熱に起因して第２空間１０９と第３空間１１０との空気の温まる速度が異なり、その温度差によって第２空間１０９と第３空間１１０との間で空気の対流が生じ、基板ケース１７への熱を万遍なく放熱孔７３、７９、８５から放出することができる。
　【００３６】
　次に図１、図２を参照して、遊技制御メイン基板３７はグランドライン９５が延在されたグランドライン延在取付け孔１１１およびグランドライン９５が延在されていない取付孔１１２を介してビス５９を基板収容ボックス本体４６に設けられた取付部５７ａ、５７ｂにねじ込んで固定されている。遊技制御メイン基板３７の表面と裏面とには、それぞれ、グランドライン９５が設けられている。このためグランドライン９５と基板ケース１７とは、取付部５７ａと取付部５７ａと接するグランドライン延在取付け孔１１１のグランドラインを介して電気的に接続されている。これにより、遊技制御メイン基板３７のグランドライン９５と基板ケース１７とがほぼ同電位になるため、基板ケース１７と遊技制御メイン基板３７との間での放電が防止できる。
　【００３７】
　遊技制御メイン基板３７には、多数の貫通孔（図示せず）が設けられている。遊技制御メイン基板３７の表面と裏面とに形成されたグランドライン９５は、この貫通孔を介して電気的に接続されている。これにより、静電気により機構板５６と基板ケース１７との間で万一放電が発生した場合、放電電圧が取付部５７ａを通ってまず遊技制御メイン基板３７の裏面側のグランドライン９５に流れ込むが、この裏面側に流れ込んだ電流が遊技制御メイン基板３７に取り付けられたＭＰＵ，ＲＡＭ３９ａ，ＲＯＭ３９ｂに到達するまでに、前記貫通孔を何度もくぐり抜けてグランドライン９５の表面と裏面との間を何度も巡回し、それによって電圧が遊技制御メイン基板３７に設けられたＭＰＵ，ＲＡＭ３９ａ，ＲＯＭ３９ｂに到達するまでに極力電圧降下を起こさせるのである。すなわち、この貫通孔は、取付部５７ａから遊技制御メイン基板３７に設けられたＭＰＵ，ＲＡＭ３９ａ，ＲＯＭ３９ｂまでの電流の流れる距離を極力長くする機能を有し、これによって遊技制御メイン基板３７の主要部であるＭＰＵ、ＲＡＭ３９ａ、ＲＯＭ３９ｂをノイズによる悪影響から極力保護するものである。
　【００３８】
　開閉カバー体４８に設けられた切欠部８３と、基板収容ボックス本体４６に設けられた切欠部６７とで形成される配線引出部を介して、コネクタ１９に接続された配線５０を外部に引き出している。したがって、開閉カバー体４８を開けるだけで配線の交換が可能となる。
　【００３９】
　図中４９は、係合孔であり、５１は係合爪部、７９，８５は放熱孔である。係合爪部５１と係合孔４９との関係及び放熱孔７９，８５の働きについては、図１の説明の箇所を参照されたい。
　【００４０】
　図１に示すように、この発明の第１実施例においては、透明カバー体４５を、介して遊技制御メイン基板３７を包囲する包囲体（透明カバー体４５と基板収容ボックス本体４６とからなる）外部から遊技制御メイン基板３７を目で見ることができるようにしてい
る。透
けて
　【００４１】
　図１に示すように、この発明の第１実施例においては、遊技制御メイン基板３７を包囲し、静電気によるノイズの電子部品への悪影響を抑制するシールドカバー体の機能を、開閉カバー体４８と基板収容ボックス本体４６とで果たしている。しかしながら、この発明においてはこれに限定されるわけではなく、導電性のある筒状の物をシールドカバー体にしてもよい。この筒状の口から透明カバー体４５が被さった遊技制御メイン基板３７を、筒状の物の中に入れるのである。
　【００４２】
　図１に示すように、この発明の第１実施例においては、遊技制御メイン基板３７の表面（つまり、電子部品が取り付けられている面）側にだけ透明カバー体４５を配置している。しかしながら、この発明においてはこれに限定されるわけではなく、遊技制御メイン基板３７全体を透明カバー体で覆ってもよい。このようにすれば、遊技制御メイン基板３７の裏面（つまり、電子部品同士を接続する配線パターンが形成されている面）を、封印を剥がすことなく検査することができる。
　【００４３】
　図１に示すように、この発明の第１実施例においては、遊技制御メイン基板３７の表面全体上に透明カバー体４５を配置することにより、遊技制御メイン基板３７の表面全部を見えるようにしている。しかしながら、この発明においてはこれに限定されるわけではなく、無断で取替が行なわれる可能性がある部品（ＭＰＵ、ＲＡＭ、ＲＯＭ等）の取付け箇所のみ見えるようにしてもよい。
　【００４４】
　図１に示すように、この発明の第１実施例においては、シールドカバー体である基板収容ボックス本体４６と開閉カバー体４８を、カーボンを混ぜた樹脂で構成している。しかしながら、この発明においてはこれに限定されるわけではなく、導電性を有する金属板で構成してもよい。
　【００４５】
　図１に示すように、この発明の第１実施例においては、透明カバー体４５は、完全な透明体である。しかしながら、この発明においてはこれに限定されるわけではなく、内部を透視可能な程度までカーボンを含ませた合成樹脂で形成してもよい。
　【００４６】
　図１に示すように、この発明の第１実施例においては、開閉カバー体４８と遊技制御メイン基板３７との間に透明カバー体４５を配置している。しかしながら、この発明においてはこれに限定されるわけではなく、透明カバー体４５と遊技制御メイン基板３７との間に、出し入れ自在の導電性のある板を挿入した構成のものでもよい。
　【００４７】
　この発明の第１実施例においては、パチンコ遊技機を制御する電子回路について説明している。しかしながらこの発明においてはこれに限定されるわけではなく、静電気の影響を受ける電子回路を備えた遊技機であれば如何なるものでもよい。
　【００４８】
　この発明の第２実施例を以下説明していく。図６はこの発明の第２実施例であり、遊技盤５の裏面に基板ケース１７を取り付けた状態の平面図である。開閉カバー体４８は開いた状態にある。透明カバー体４５は透明なので、透明カバー体４５を介して遊技制御メイン基板３７が透視できる。２１は遊技制御サブ基板であり、遊技制御サブ基板２１に取り付けられたコネクタ２３の配線５０は、遊技制御メイン基板３７に取り付けられたコネクタ１９に接続されている。
　【００４９】
　遊技制御メイン基板３７と遊技盤５とを別々に入荷し、遊技場で遊技制御メイン基板３７を遊技盤５に取り付けた場合、取付けを行なう者が素人の場合は、配線ミスの可能性がある。そこで図６に示すように、予め遊技盤５に遊技制御メイン基板３７を取り付けた状態のものを入荷すれば、このようなことは起こらない。
　【００５０】
　この発明の第３実施例を以下説明する。図７は、この発明の第３実施例の斜視図である。この発明の第３実施例においては、図１に示す開閉カバー体４８の代わりに導電性を有する布（以下導電布９７という）を用いている。
　【００５１】
　導電布９７にはゴムバンド９９が取り付けられており、ゴムバンド９９にはリング１０１が取り付けられている。リング１０１を、基板収容ボックス本体４６に設けられた鉤部１０３に掛けることにより、導電布９７が遊技制御メイン基板（図示せず）に被さる状態を保持する。ゴムバンド９９の弾性力を利用して、リング１０１が鉤部１０３が外れないようにしている。図中５０は、配線であり、７９は放熱孔である。
　【００５２】
　前述した遊技制御メイン基板３７に多数設けられている貫通孔により、遊技制御
メイン
メイン
　前記可変表示装置９により、表示状態が変化可能であり表示結果が予め定められた特定の表示態様になった場合に遊技者にとって有利な特定遊技状態（大当り状態）に制御可能となるように定められた可変表示装置が構成されている。そして、図６に基づいて説明したように、遊技機背面側から見て左側に前記基板用収容体が配設されている。
　前記中継基板２５により、前記遊技制御
メイン
メイン
　前述したように、前記基板用収容体は透明なポリカーボネイトを用いることによって前記遊技制御
メイン
メイン
　【発明の効果】
　請求項１に記載の本発明によれば、遊技制御
メイン
メイン
全体
メイン
メイン
メイン
る。
　
基
およびそのサブ基板
メイン
る。
【図面の簡単な説明】
　【図１】　この発明に従った遊技制御基板用収容体の第１実施例の分解斜視図である。
　【図２】　この発明に従った遊技制御基板用収容体の第１実施例の縦断面図である。
　【図３】　この発明に従った遊技制御基板用収容体の第１実施例を備えたパチンコ遊技機の全体正面図である。
　【図４】　図３に示すパチンコ遊技機の内部構造を示す全体背面図である。
　【図５】この発明に従った遊技制御基板用収容体の第１実施例の横断面図である。
　【図６】　この発明に従った遊技制御基板用収容体の第２実施例が取り付けられた遊技盤の平面図である。
　【図７】　この発明に従った遊技制御基板用収容体の第３実施例の斜視図である。
　【符号の説明】
　１７　基板ケース、３７　遊技制御メイン基板、３９　ＣＰＵ，ＲＯＭ、４５　透明カバー体、４６　基板収容ボックス本体、４８　開閉カバー体、６９　支軸、７１　挿通部。